【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
指向特性が可変な可変指向性アンテナと、
接続設定処理が完了する前の他の無線装置から送信されて前記可変指向性アンテナで受信された電波から前記接続設定処理に使用する制御情報を生成し、前記接続設定処理が完了した前記他の無線装置から送信されて前記可変指向性アンテナで受信された電波からデータ処理用のデータを生成する生成部と、
前記制御情報から識別される前記他の無線装置に対して前記接続設定処理を行う接続設定部と、
前記接続設定部が前記接続設定処理を開始してから完了するまでの期間、前記可変指向性アンテナの指向方向を所定の方向に固定するアンテナ制御部と、
を有する無線装置。
【請求項２】
通信環境が劣化しているか否かを判定する判定部を更に有し、
前記接続設定部は、前記他の無線装置に対して前記接続設定処理を行っている間に、前記判定部により、前記通信環境が劣化していると判定された場合、前記他の無線装置に対する前記接続設定処理を中止する請求項１に記載の無線装置。
【請求項３】
前記接続設定部は、第１の無線装置に対する前記接続設定処理を中止した場合、前記第１の無線装置とは異なる第２の無線装置に対する前記接続設定処理を行う請求項２に記載の無線装置。
【請求項４】
前記接続設定部は、前記制御情報から複数の他の無線装置が識別された場合、前記制御情報に基づいて、他の無線装置がリセットされたときからの経過時間を識別し、前記経過時間が長い他の無線装置よりも前記経過時間が短い他の無線装置を優先して前記接続設定処理を行う請求項１に記載の無線装置。
【請求項５】
前記接続設定部は、前記制御情報から複数の他の無線装置が識別される場合、当該複数の他の無線装置から受信した電波の電波強度が最も強い無線装置に対して前記接続設定処理を行う請求項１に記載の無線装置。
【請求項６】
前記可変指向性アンテナの指向方向の指針となる方向情報を操作者から受け付ける方向受付部を更に有し、
前記アンテナ制御部は、前記接続設定部が前記接続設定処理を開始してから完了するまでの期間、前記可変指向性アンテナの指向方向を前記方向情報が示す方向に固定する請求項１に記載の無線装置。
【請求項７】
前記生成部で生成された前記データを処理する複数のアプリケーションのいずれかを起動して前記データを処理する処理部を更に有し、
前記処理部は、前記接続設定処理が行われた前記他の無線装置に対応したアプリケーションを起動する請求項１に記載の無線装置。
【請求項８】
前記生成部で生成された前記データを処理する複数のアプリケーションのいずれかを起動して前記データを処理する処理部を更に有し、
前記接続設定部は、前記制御情報から複数の他の無線装置が識別された場合、前記処理部が起動したアプリケーションに対応した他の無線装置に対して前記接続設定処理を行う請求項１に記載の無線装置。
【請求項９】
前記アンテナ制御部は、前記可変指向性アンテナの指向方向を所定の方向に固定すると共に前記可変指向性アンテナの指向特性の広がりを所定の範囲内に制限する請求項１に記載の無線装置。
【請求項１０】
前記アンテナ制御部は、前記接続設定部が前記接続設定処理を開始してから完了するまでの期間、前記可変指向性アンテナの指向方向を、前記可変指向性アンテナが配置された平面に対して垂直な方向に固定する請求項１に記載の無線装置。
【請求項１１】
前記生成部で生成された前記データである画像データを表示する表示部を更に有し、
前記生成部は、前記接続設定処理が完了した前記他の無線装置である画像送信装置から送信されて前記可変指向性アンテナで受信された電波から前記画像データを生成し、
前記接続設定部は、前記制御情報から識別される前記画像送信装置に対して前記接続設定処理を行う
請求項１に記載の無線装置。
【請求項１２】
接続設定処理が完了する前の他の無線装置から送信されて可変指向性アンテナで受信された電波から前記接続設定処理に使用する制御情報を生成し、前記接続設定処理が完了した前記他の無線装置から送信されて前記可変指向性アンテナで受信された電波からデータ処理用のデータを生成する生成ステップと、
前記制御情報から識別される前記他の無線装置に対して前記接続設定処理を行う接続設定ステップと、
前記接続設定ステップが前記接続設定処理を開始してから完了するまでの期間、前記可変指向性アンテナの指向方向を所定の方向に固定するアンテナ制御ステップと、
を有する無線接続方法。
【請求項１３】
データ送信装置からデータを無線送信し、データ表示装置で表示する無線通信システムであって、
データを送信する無線ユニット
を有する前記データ送信装置と、
指向特性が可変な可変指向性アンテナと、
接続設定処理が完了する前の前記データ送信装置の前記無線ユニットから送信されて前記可変指向性アンテナで受信された電波から前記接続設定処理に使用する制御情報を生成し、前記接続設定処理が完了した前記データ送信装置から送信されて前記可変指向性アンテナで受信された電波からデータを生成する生成部と、
前記制御情報から識別される前記データ送信装置に対して前記接続設定処理を行う接続設定部と、
前記接続設定部が前記接続設定処理を開始してから完了するまでの期間、前記可変指向性アンテナの指向方向を所定の方向に固定するアンテナ制御部と、
を有する前記データ表示装置と、
を有する無線通信システム。
【手続補正２】
【補正対象書類名】明細書
【補正対象項目名】発明の名称
【補正方法】変更
【補正の内容】
【発明の名称】無線装置、無線接続方法、および無線通信システム
【手続補正３】
【補正対象書類名】明細書
【補正対象項目名】０００１
【補正方法】変更
【補正の内容】
【０００１】
本発明は、無線通信を行う無線装置、無線接続方法、および無線通信システムに関する。
【手続補正４】
【補正対象書類名】明細書
【補正対象項目名】０００７
【補正方法】変更
【補正の内容】
【０００７】
本発明は、上述した課題に鑑みてなされたものであって、接続制御装置を介さずに接続設定を行うことができる無線装置、無線接続方法、および無線通信システムを提供することを目的とする。
【手続補正５】
【補正対象書類名】明細書
【補正対象項目名】０００８
【補正方法】変更
【補正の内容】
【０００８】
本発明は、上記の課題を解決するためになされたもので、指向特性が可変な可変指向性アンテナと、接続設定処理が完了する前の他の無線装置から送信されて前記可変指向性アンテナで受信された電波から前記接続設定処理に使用する制御情報を生成し、前記接続設定処理が完了した前記他の無線装置から送信されて前記可変指向性アンテナで受信された電波からデータ処理用のデータを生成する生成部と、前記制御情報から識別される前記他の無線装置に対して前記接続設定処理を行う接続設定部と、前記接続設定部が前記接続設定処理を開始してから完了するまでの期間、前記可変指向性アンテナの指向方向を所定の方向に固定するアンテナ制御部と、を有する無線装置である。
【手続補正６】
【補正対象書類名】明細書
【補正対象項目名】００１０
【補正方法】変更
【補正の内容】
【００１０】
又、本発明の無線装置において、前記接続設定部は、第１の無線装置に対する前記接続設定処理を中止した場合、前記第１の無線装置とは異なる第２の無線装置に対する前記接続設定処理を行う。
【手続補正７】
【補正対象書類名】明細書
【補正対象項目名】００１１
【補正方法】変更
【補正の内容】
【００１１】
又、本発明の無線装置において、前記接続設定部は、前記制御情報から複数の他の無線装置が識別された場合、前記制御情報に基づいて、他の無線装置がリセットされたときからの経過時間を識別し、前記経過時間が長い他の無線装置よりも前記経過時間が短い他の無線装置を優先して前記接続設定処理を行う。
【手続補正８】
【補正対象書類名】明細書
【補正対象項目名】００１３
【補正方法】変更
【補正の内容】
【００１３】
又、本発明の無線装置は、前記可変指向性アンテナの指向方向の指針となる方向情報を操作者から受け付ける方向受付部を更に有し、前記アンテナ制御部は、前記接続設定部が前記接続設定処理を開始してから完了するまでの期間、前記可変指向性アンテナの指向方向を前記方向情報が示す方向に固定する。
【手続補正９】
【補正対象書類名】明細書
【補正対象項目名】００１６
【補正方法】変更
【補正の内容】
【００１６】
又、本発明の無線装置において、前記アンテナ制御部は、前記可変指向性アンテナの指向方向を所定の方向に固定すると共に前記可変指向性アンテナの指向特性の広がりを所定の範囲内に制限する。
【手続補正１０】
【補正対象書類名】明細書
【補正対象項目名】００１７
【補正方法】変更
【補正の内容】
【００１７】
又、本発明の無線装置において、前記アンテナ制御部は、前記接続設定部が前記接続設定処理を開始してから完了するまでの期間、前記可変指向性アンテナの指向方向を、前記可変指向性アンテナが配置された平面に対して垂直な方向に固定する。
又、本発明の無線装置は、前記生成部で生成された前記データである画像データを表示する表示部を更に有し、前記生成部は、前記接続設定処理が完了した前記他の無線装置である画像送信装置から送信されて前記可変指向性アンテナで受信された電波から前記画像データを生成し、前記接続設定部は、前記制御情報から識別される前記画像送信装置に対して前記接続設定処理を行う。
又、本発明は、接続設定処理が完了する前の他の無線装置から送信されて可変指向性アンテナで受信された電波から前記接続設定処理に使用する制御情報を生成し、前記接続設定処理が完了した前記他の無線装置から送信されて前記可変指向性アンテナで受信された電波からデータ処理用のデータを生成する生成ステップと、前記制御情報から識別される前記他の無線装置に対して前記接続設定処理を行う接続設定ステップと、前記接続設定ステップが前記接続設定処理を開始してから完了するまでの期間、前記可変指向性アンテナの指向方向を所定の方向に固定するアンテナ制御ステップと、を有する無線接続方法である。
又、本発明は、データ送信装置からデータを無線送信し、データ表示装置で表示する無線通信システムであって、データを送信する無線ユニットを有する前記データ送信装置と、指向特性が可変な可変指向性アンテナと、接続設定処理が完了する前の前記データ送信装置の前記無線ユニットから送信されて前記可変指向性アンテナで受信された電波から前記接続設定処理に使用する制御情報を生成し、前記接続設定処理が完了した前記データ送信装置から送信されて前記可変指向性アンテナで受信された電波からデータを生成する生成部と、前記制御情報から識別される前記データ送信装置に対して前記接続設定処理を行う接続設定部と、前記接続設定部が前記接続設定処理を開始してから完了するまでの期間、前記可変指向性アンテナの指向方向を所定の方向に固定するアンテナ制御部と、を有する前記データ表示装置と、を有する無線通信システムである。